(57)【要約】【課題】複数のアプリケーションに対応できる照明装置および照明システムを提供することである。【解決手段】実施形態の照明装置１０は、外部端末と通信可能である通信部１４と、特定の機能を実行するアプリケーションおよび前記アプリケーションに対応付けられた前記アプリケーションを特定する識別情報を記憶する記憶部１５と、外部端末から識別情報を含む電文を受信した場合、識別情報に対応するアプリケーションに基づいて電文の内容に応じた制御を行う制御部１３とを備える。 【選択図】図３
2019061903.tif 000002
【特許請求の範囲】
【請求項１】
外部端末と通信可能である通信部と；
特定の機能を実行するアプリケーションおよび前記アプリケーションに対応付けられた前記アプリケーションを特定する識別情報を記憶する記憶部と；
前記外部端末から前記識別情報を含む電文を受信した場合、前記識別情報に対応する前記アプリケーションに基づいて前記電文の内容に応じた制御を行う制御部と；
を具備したことを特徴とする照明装置。
【請求項２】
前記アプリケーションを第１のアプリケーションとして、前記第1のアプリケーションとは異なる機能を実行する第２のアプリケーションおよび前記第２のアプリケーションに対応付けられた前記第２のアプリケーションを特定する第２の識別情報を記憶する第２の記憶部を有し、
前記制御部は、電文に含まれる識別情報に応じて前記第２のアプリケーションに基づいた制御を行うことを特徴とする請求項１に記載の照明装置。
【請求項３】
前記照明装置は前記蓄電池を点検する点検部を有し、前記第１のアプリケーションは前記点検部に点検を実行させるアプリケーションであることを特徴とする請求項１または請求項２に記載の照明装置。
【請求項４】
前記通信部は照明装置の筐体に着脱可能に取り付けられた無線通信装置であり、この無線通信装置に前記第２の記憶部が設けられていることを特徴とする請求項１ないし請求項３のいずれか一項に記載の照明装置。
【請求項５】
前記通信部は照明装置の筐体に着脱可能に取り付けられた無線通信装置であり、この無線通信装置に前記第１の記憶部および前記第２の記憶部が設けられていることを特徴とする請求項１および請求項２に記載の照明装置。
【請求項６】
請求項１ないし５のいずれか一項に記載の照明装置と；
前記照明装置と通信が可能であり、前記第１の識別情報または第２の識別情報を含む電文を送信可能な通信部を備えた端末と；
を具備したことを特徴とする照明システム。
【発明の詳細な説明】
【技術分野】
【０００１】
本発明の実施形態は、照明装置および照明システムに関する。
【背景技術】
【０００２】
近年、携帯端末や、スマートフォンといった携帯型端末装置の普及により、ネットワークを介した広告配信などのネットワークを用いてサービス情報配信を行うシステムが増加している。ネットワークを用いたサービス情報配信としては、広告配信の他にも非常時における避難場所などの情報の配信やイベント情報の配信など様々な形態がある。
【０００３】
サービスの情報配信としては、たとえば、ビーコンを用いたシステムが考えられている。ビーコンは赤外線通信などの無線通信によってデータを送信する無線通信機であり、このビーコンを天井に設置された照明装置に搭載することにより、施設を利用する利用者の端末に対しサービス情報を送信できる。
【０００４】
しかしながら、1台の照明装置で複数のサービス情報を提供する場合、複数のサービス情報に対応した複数のアプリケーションを備える必要がある。また、使用目的や管理者が異なる複数のサービスを情報の機密性を保ちながら扱うことは難しいという問題がある。
【先行技術文献】
【特許文献】
【０００５】
【特許文献１】特開２０１６−１８１４５３号公報
【発明の概要】
【発明が解決しようとする課題】
【０００６】
本発明が解決しようとする課題は、複数のアプリケーションに対応できる照明装置および照明システムを提供することである。
【課題を解決するための手段】
【０００７】
実施形態の照明装置は、外部端末と通信可能である通信部と、特定機能を実行するアプリケーションおよび前記アプリケーションに対応付けられた前記アプリケーションを特定する識別情報を記憶する記憶部と、外部端末から識別情報を含む電文を受信した場合、識別情報に対応する前記アプリケーションに基づいて電文の内容に応じた制御を行う制御部とを備える。
【発明の効果】
【０００８】
本発明によれば、アプリケーションに対応付けられたアプリケーションを特定する識別情報を付与することにより、識別情報に対応したアプリケーションを実行することができる。
【図面の簡単な説明】
【０００９】
【図１】第1の実施形態の照明システムの構成を示す斜視図である。
【図２】同上照明装置を示す斜視図である。
【図３】同上照明装置の構成例を示すブロック図である。
【図４】同上照明システムのプロトコルスタックを示す図である。
【図５】同上照明システムの電文を示す図である。
【図６】第２の実施形態の構成例を示すブロック図である。
【図７】第３の実施形態の構成例を示すブロック図である。
【発明を実施するための形態】
【００１０】
以下、第１の実施形態を図面を参照して説明する。
【００１１】
図１は本実施の形態の照明システムの構成を示す。図１に示すように、照明システム１００は、オフィス内の照明空間１の天井面に設置された複数の照明装置１０（１０a〜１０i)と、照明装置１０と通信可能に接続される端末２０とから構成される。具体的には、照明装置１０は停電時などの非常時に点灯する非常灯であり、それぞれ天井面に所定の間隔で設置されている。
【００１２】
尚、本実施形態では、照明装置１０は、９台配置した場合について説明するが、これに限定されるものではなく、複数台（ｎ台（ｎは整数））配置されればよい。
【００１３】
端末２０は、スマートフォンやタブレット端末等の携帯端末であり、照明装置１０と無線通信が可能に構成されている。
【００１４】
また、各照明装置１０a〜１０i間、および各照明装置１０a〜１０iと端末２０との間の通信方式は、たとえば、ＢＬＥ（Bluetooth（登録商標）Low  Energy）などのメッシュネットワークが可能な無線通信方式である。
【００１５】
図２および図３は、照明装置１０の構成を示している。この照明装置１０は、光源１１と、蓄電池１２と、制御部１３および記憶部１５と、接続端子１７と、通信部１４とを備え、これらは照明装置の筐体１６の内部に収納されている。また、筐体１６の背面側には、外部電源１８と接続される端子台１９が設けられている。
【００１６】
光源１１は、たとえば発光ダイオード(ＬＥＤ)あるいはレーザダイオードなどの半導体発光素子、または、有機ＥＬ素子(ＯＬＥＤ)などで構成された発光モジュールが用いられ、白色光を出射するように構成されている。光源１１は、発光モジュールから放射された光の配光を制御する透明なガラス製または樹脂製のレンズを有する。
【００１７】
蓄電池１２は、筐体１６の内部に着脱可能な電池であり、ニカド電池、ニッケル水素電池、あるいはリチウムイオン電池などの充電可能な二次電池である。蓄電池１２は、照明装置１０の製造時に充電された状態となっており、照明装置１０の施工時に照明装置１０に取付けられる。
【００１８】
外部電源１８は、商用交流電源、あるいは直流電源など、任意の電源とすることが可能である。本実施形態では、外部電源を商用交流電源としている。
【００１９】
端子台１９は、筐体１６の背面側に設けられており、図示しない電線を介して外部電源１８と制御部１３とを電気的に接続するものである。
【００２０】
制御部１３は、外部電源１８および蓄電池１２と電気的に接続されており、外部電源１８および蓄電池１２からの電力を光源１１、通信部１４などに供給するものである。制御部１３には、外部電源１８から供給された電力が端子台１９を介して供給される。制御部１３は、常用時には外部電源１８により蓄電池１２を充電し、非常時には蓄電池１２の電力を光源１１に供給するように制御する。
【００２１】
また、制御部１３は、点検部（図示しない）と記憶部１５を備えており、点検部が点検した点検情報を記憶部１５に記憶し、点検情報を通信部１４から外部端末へ出力するように制御することができる。
【００２２】
点検部は、蓄電池１２の電圧、電流、温度、放電時間及び放電回数を検知することにより蓄電池１２が正常に動作するか否かの点検を行い、これらの点検情報を記憶部１５に出力する。
【００２３】
記憶部１５は、揮発性メモリおよび不揮発性メモリなどから構成される。記憶部１５は、点検部から入力される点検情報や照明装置１０の製造番号、製造年月日などの情報を記憶する。
【００２４】
また、記憶部１５は、第１の記憶部１５１および第２の記憶部１５２を有する。第１の記憶部１５１は、点検部が蓄電池１２の点検を行うアプリケーション（以降、第１のアプリケーションと称する）を記憶する。また、第１の記憶部１５１は、第１のアプリケーションに対応付けられた第１のアプリケーションを特定する識別情報を記憶する。ここで、識別情報とはたとえば固有アドレスである（以降、第1のアプリケーションを特定する識別情報を第１の識別情報ＩＤ１と称する）。この第１のアプリケーションおよび第１の識別情報ＩＤ１は、たとえば、照明装置１０の製造時に第１の記憶１５１に記憶される。また、この第１のアプリケーションおよび第１の識別情報ＩＤ１は、照明装置１０を設置後に作業者により第１の記憶部１５１に記憶さてもよい。
【００２５】
第２の記憶部１５２には、第１のアプリケーションとは異なる機能を実行する第２のアプリケーションを記憶する。この第２のアプリケーションは、たとえば、照明装置１０の位置情報を通信部１４から送信するアプリケーションである。第２の記憶部１５２は、この第２のアプリケーションを特定する識別情報を記憶する。ここで、識別情報とは、たとえば固有アドレスである（以降、第２のアプリケーションを特定する識別情報を第２の識別情報ＩＤ２と称する）。この第２のアプリケーションおよび第２の識別情報ＩＤ２は、たとえば、照明装置１０の製造時に第２の記憶部１５２に記憶される。また、照明装置１０を設置後に作業者により第２の記憶部１５２に記憶されてもよい。
【００２６】
制御部１３は、通信部１４を介して受信した電文に第１の識別情報ＩＤ１または第２の識別情報ＩＤ２が含まれている場合、それぞれの識別情報に対応したアプリケーションに基づいて制御し、アプリケーションを実行する。
【００２７】
通信部１４は、無線通信でデータを送受信するためのインターフェイスであり、たとえば、Ｂｌｕｅｔｏｏｔｈ接続をサポートする無線通信機である。ここでは、ＢＬＥ通信をサポートするものとする。通信部１４は、筐体１６に着脱可能であり端末２０と制御部１３との間で電文の受け渡しを行う。通信部１４は、記憶部（図示しない）を有し自機を示す識別情報を記憶する。識別情報は自機を特定する情報であり、たとえば、ＭＡＣアドレスなどの固有アドレスである（以降、通信部１４の識別情報をＵＩＤと称する）。この固有アドレスは、たとえば、通信部１４の製造時に記憶に記憶される。また、照明装置１０に設置する前に作業者により記憶部に記憶されてもよい。
【００２８】
通信部１４は、受信した電文を制御部１３に送信し、制御部１３は電文に含まれる識別情報から該当するアプリケーションを実行する。
【００２９】
端末２０は、自機の記憶部（図示しない）に自身を示す識別情報を記憶している。識別情報は端末２０を特定する情報であり、たとえば、ＭＡＣアドレスなどの固有アドレスである。この識別情報は端末２０の製造時において記憶部に記憶される。
【００３０】
端末２０は、照明装置１０を設置後に自機の記憶部に第１の識別情報ＩＤ１、第２の識別情報ＩＤ２、識別情報ＵＩＤを記憶することにより、電文に各識別情報を含ませることで識別情報に対応したアプリケーションを実行させることができる。
【００３１】
図４は、第１の実施形態におけるプロトコルスタックを示す。プロトコルスタックのアプリケーション層は、第１のアプリケーションと第２のアプリケーションのようにアプリケーションの種類によりそれぞれが独立して存在する。下位層は、トランスポート層、ネットワーク層、物理層を示しており、アプリケーションの種類によらず共通している。そのため、第１の識別情報を含む電文を受信した場合、第１の識別情報を含む電文は第１のアプリケーション層および下位層により処理される。一方、第２の識別情報を含む電文を受信した場合、第２の識別情報を含む電文は第２のアプリケーション層および下位層により処理される。
【００３２】
図５は、端末２０と照明装置１０との間で送受信される電文４０を示す図である。図５に示すように、たとえば端末２０が電文４０に第１の識別情報ＩＤ１、第２の識別情報ＩＤ２、識別情報ＵＩＤを含めて照明装置１０に送信する。電文４０を受信した照明装置１０の通信部１４は、電文４０が自機の識別情報ＵＩＤを含んでいることを確認し電文４０を制御部１３に送信する。制御部１３は電文に第１の識別情報ＩＤ１および第２の識別情報ＩＤ２が含まれている場合、各識別情報に対応したアプリケーションを実行する。
【００３３】
たとえば、電文に第１の識別情報ＩＤ１が含まれている場合、制御部１３は第１のアプリケーションに基づいて点検部に蓄電池１２の点検を実行させる。
【００３４】
また、電文に第２の識別情報ＩＤ２が含まれている場合、制御部１３は第２のアプリケーションに基づいて通信部１４から位置情報を送信する。
【００３５】
一方で、たとえば、第２のアプリケーションを実行せず、第１のアプリケーションのみ実行したい場合は、端末２０は電文４０に第１の識別情報ＩＤ１と識別情報ＵＩＤを含ませることにより、第１のアプリケーションのみ実行させることができる。
【００３６】
同様に、照明装置１０は第１のアプリケーションまたは第２のアプリケーションを実行した場合、図５に示すように電文４０に識別情報を含ませることによりアプリケーションの実行情報を端末２０へ送信することができる。たとえば、照明装置２０が第１のアプリケーションによる点検情報および第２のアプリケーションによる位置情報に対応した識別情報を電文４０に含ませることで点検情報と位置情報の２つの情報を同時に送信することができる。
【００３７】
このように、照明装置１０に特定の機能を実行するアプリケーションとこのアプリケーションに対応付けられた識別情報を記憶することにより、電文４０に識別情報を含ませることで特定のアプリケーションを実行することができる。また、記憶部に複数のアプリケーションを追加した場合でも、各アプリケーションに対応付けした識別情報を記憶することで各アプリケーションの実行を制御することができる。
【００３８】
また、たとえば端末２０の記憶部に予め第２の識別情報ＩＤ２を記憶させないことにより、端末２０が第２のアプリケーションに対し電文を送信することができないようにすることができる。つまり、照明装置１０が複数のアプリケーションを有している場合でも、端末２０に記憶させるアプリケーションの識別情報を選定することにより、アプリケーションを実行できる端末２０を限定することで機密性を保つことができる。
【００３９】
次に第２の実施形態に係る照明装置について説明する。
【００４０】
第２の実施形態の照明装置の基本構成は第１の実施の形態と同様であるが、照明装置１０の記憶部１５および通信部１４の記憶部の一部が相違している。
【００４１】
図６に第２の実施形態の照明装置１０の構成図を示す。図６に示すように、第２のアプリケーションおよび第２の識別情報ＩＤ２を記憶した記憶部１５２が着脱可能な通信部１４の記憶部に設けられる。
【００４２】
この第２のアプリケーションおよび第２の識別情報ＩＤ２は、たとえば、通信部１４の製造時に第２の記憶１５２に記憶される。また、照明装置１０を設置後に作業者により記憶１５２に記憶され、照明装置１０に取り付けられてもよい。
【００４３】
照明装置１０は、端末２０から第１の識別情報ＩＤ１、第２の識別情報ＩＤ２、識別情報ＵＩＤを含めたに電文４０を受信した場合、照明装置１０の通信部１４は、電文４０が自機の識別情報ＵＩＤを含んでいることを確認する。次に、電文４０に第１の識別情報ＩＤ１が含まれている場合、電文４０を制御部１３に送信する。制御部１３は第１の識別情報ＩＤ１に対応した第１のアプリケーションに基づいて点検部に蓄電池１２の点検を実行させる。また、通信部１４は、電文４０に第２の識別情報ＩＤ２が含まれている場合、通信部１４は自機の制御部（図示しない）に電文４０を送信する。そして、通信部１４の制御部は第２の識別情報ＩＤ２に対応した第２のアプリケーションに基づいて通信部１４から位置情報を送信する。
【００４４】
このように、予め第１のアプリケーションを記憶している照明装置１０に、第２のアプリケーションを記憶させた通信部１４を取り付けることにより容易にアプリケーションの追加を行うことができる。そのため、点検機能を有する照明装置１０に通信部１４を取り付けることにより位置情報を送信する新たな機能を容易に追加することができる。
【００４５】
また、第１の記憶部１５１と第２の記憶部１５２を分離させ、第１のアプリケーションは照明装置１０の内部の記憶部に記憶することにより、通信部１４が故障した場合や通信部１４を交換した場合でも第１のアプリケーションである点検の機能を保持することができる。
【００４６】
次に第３の実施形態に係る照明装置について説明する。
【００４７】
第３の実施形態の照明装置の基本構成は第２の実施形態と同様であるが、照明装置１０の記憶部１５および通信部１４の記憶部の一部が相違している。
【００４８】
図７に第３の実施形態の照明装置１０の構成図を示す。図７に示すように、第１のアプリケーションおよび第１の識別情報ＩＤ１を記憶した記憶部１５１と、第２のアプリケーションおよび第２の識別情報ＩＤ２を記憶した記憶部１５２が着脱可能な通信部１４の記憶部に設けられる。
【００４９】
この第１のアプリケーションおよび第１の識別情報ＩＤ１と、第２のアプリケーションおよび第２の識別情報ＩＤ２は、たとえば、着脱可能な通信部１４の製造時に記憶部に記憶される。また、照明装置１０を設置後に作業者により記憶に記憶され、照明装置１０に取り付けられてもよい。
【００５０】
照明装置１０は、端末２０から第１の識別情報ＩＤ１、第２の識別情報ＩＤ２、識別情報ＵＩＤを含めたに電文４０を受信した場合、照明装置１０の通信部１４は、電文４０が自機の識別情報ＵＩＤを含んでいることを確認する。次に、電文４０第１の識別情報ＩＤ１が含まれている場合、通信部１４は自機の制御部に電文４０を送信する。通信部１４の制御部は第１の識別情報ＩＤ１に対応した第１のアプリケーションに基づいて照明装置１０の点検部に蓄電池１２の点検を実行させる。また、通信部１４は、電文４０に第２の識別情報ＩＤ２が含まれている場合、通信部１４は自機の制御部に電文４０を送信する。そして、通信部１４の制御部は第２の識別情報ＩＤ２に対応した第２のアプリケーションに基づいて通信部１４から位置情報を送信する。
【００５１】
このように、着脱可能な通信部１４にアプリケーションおよび識別情報を記憶させることにより、照明装置１０の記憶部１５が記憶する情報量が軽減されるため、記憶部１５の記憶容量に負担をかけずにアプリケーションを使用できるとともに、アプリケーションの追加が容易にできる。
【００５２】
また、これらの実施形態では、第２のアプリケーションとして位置情報を送信する機能について説明したがこれに限るものではない。たとえば、照明装置１０にセンサを設け、通行人の人数をカウントする施設向けのサービスを実行するアプリケーションを備えるようにしてもよい。
【００５３】
本発明の実施形態を説明したが、この実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５４】
１０  照明装置
１３  制御部
１４  通信部
１５  記憶部
１５１  第１の記憶部
１５２  第２の記憶部
【図１】
2019061903.tif 000003
【図２】
2019061903.tif 000004
【図３】
2019061903.tif 000005
【図４】
2019061903.tif 000006
【図５】
2019061903.tif 000007
【図６】
2019061903.tif 000008
【図７】
2019061903.tif 000009